(57)【要約】
【課題】汎用台車等により容易に運搬することができ、養生板の荷積み、荷降ろし、設置等をするときに、人の手により容易に持ち運ぶことができる養生板を提供することである。
【解決手段】養生板を複数枚に分割し、これら複数枚の養生板７を接続テープ５により互いに接続する。接続された複数枚の養生板７は、自在に折り畳んだり開いたりすることができる。この養生板７に、互いに折り畳んだ状態で位置がほぼ合致する手持ち用の開口部２を形成する。このように、ほぼ合致した手持ち用の開口部２に手を掛けることによって、複数枚の養生板７を折り畳んだ状態で容易に持ち運ぶことができる。
【選択図】図４                     
0003100221.tif 000002
【実用新案登録請求の範囲】
【請求項１】
　建築物の壁や床の保護等に用いられる養生板であって、
　手持ち用の開口部を形成したことを特徴とする養生板。
【請求項２】
　建築物の壁や床の保護等に用いられる養生板であって、
　複数枚に分割された養生板と、
　これら複数枚の養生板を互いに折り畳み自在に接続する接続テープとからなり、
　前記複数枚の養生板に、互いに折り畳んだ状態で位置がほぼ合致する手持ち用の開口部を形成したことを特徴とする養生板。
【請求項３】
　前記手持ち用の開口部が養生板の一辺部側に形成されていることを特徴とする請求項１または２に記載の養生板。
【考案の詳細な説明】
【技術分野】
【０００１】
　本考案は、建築工事、引越し作業等の現場において、建築物の壁、床等の保護に用いる養生板に関する。
【背景技術】
【０００２】
　建築工事、引越し作業等の現場においては、建築物の壁、床等を保護するために、養生板が設置される。養生板は、長方形の板状のものであり、一般的に、長さ1820mm、幅910mm、厚さ数〜30mmのものが用いられている。材質は、プラスチック製、木製、紙製、金属製等がある。この養生板の大きさは、概ね養生に用いるのに適当である。すなわち、養生板の長さ1820mmは、長期に渡り設置する場合に、設置枚数を減らし、設置の手間が省けるため、適当であり、養生板の幅910mmも、その上を通る台車の車輪幅等を考慮すると、適当である。
【０００３】
　しかし、養生板は、その大きさのため、汎用台車等で運搬しづらく、現場において、人の手により持ち運ばれ、設置されている。
【０００４】
　また、養生板の敷並べの作業性を向上させるために、養生板相互をテープにより接続する折畳式の養生板が提案されている（例えば、特開平８−４９４２５号公報参照）。これは、折り畳まれた養生板を広げて、容易に床、壁等を覆うことができるというものである。
【考案の開示】
【考案が解決しようとする課題】
【０００５】
　従来の養生板では、持運びの作業性が悪いという問題があった。養生板は、大きいうえに、板厚が厚いものは重量が有り、一度に持ち運ぶ枚数が制限され、また、板厚が薄いものは撓んでしまい、さらに、養生板の材質によっては、手が滑りやすく、人の手により持ち運ぶことは困難であった。折り畳んだ養生板であっても、抱きかかえるように持ち運ばなければならない。
【０００６】
　本考案の課題は、汎用台車等により容易に運搬することができ、養生板の荷積み、荷降ろし、設置等をするときに、人の手により容易に持ち運ぶことができる養生板を提供することである。
【課題を解決するための手段】
【０００７】
　以上の課題を解決するため、請求項１に記載の考案は、例えば、図１に示すように、建築物の壁や床の保護等に用いられる養生板であって、手持ち用の開口部２を形成したことを特徴とする。
【０００８】
　このように、養生板１の手持ち用の開口部２に手を掛けることによって、養生板１を容易に持ち運ぶことができる。
【０００９】
　請求項２に記載の考案は、例えば、図２（ａ）に示すように、建築物の壁や床の保護等に用いられる養生板であって、複数枚に分割された養生板４と、これら複数枚の養生板４を互いに折り畳み自在に接続する接続テープ５とからなり、前記複数枚の養生板４に、互いに折り畳んだ状態で位置がほぼ合致する手持ち用の開口部２を形成したことを特徴とする。
【００１０】
　このように、複数枚の養生板４を折り畳んだ状態で、ほぼ合致した手持ち用の開口部２に手を掛けることによって、養生板３を容易に持ち運ぶことができる。
【００１１】
　また、この養生板３は、完全に折り畳まない状態で床に設置すると、自立するため、図５に示すように、壁や柱の隅角部の養生に利用しやすい。
【００１２】
　請求項３に記載の考案は、請求項１または２に記載の養生板において、前記手持ち用の開口部２が養生板の一辺部側に形成されていることを特徴とする。
【００１３】
　養生板の手持ち用の開口部２の上部を手で掴むことによって、養生板を容易に持ち運ぶことができる。
【考案の効果】
【００１４】
　請求項１に記載の考案によれば、養生板を両手で抱きかかえることなく、手持ち用の開口部に手を掛けることによって、養生板を容易に持ち運ぶことができる。ほぼ同一の大きさで、ほぼ同一の位置に手持ち用の開口部が形成されている養生板であれば、複数の養生板を揃えて重ねることによって、手持ち用の開口部がほぼ合致し、一度に複数枚の養生板を容易に持ち運ぶことも可能である。
【００１５】
　請求項２に記載の考案によれば、複数枚に分割された養生板を接続テープで接続し、養生板を折り畳むことにより、養生板のサイズが小さくなり、汎用台車等での養生板の運搬が可能となる。さらに、互いに折り畳んだ状態で、分割された養生板の手持ち用の開口部の位置がほぼ合致するため、手持ち用の開口部に手を掛けることによって、養生板を折り畳んだ状態で容易に持ち運ぶことができる。これにより、養生板を車両の荷室から降ろし、汎用台車等へ荷積みし、養生箇所へ設置する作業を容易にすることができる。作業終了後に養生板を撤去する際も同様である。
【００１６】
　請求項３に記載の考案によれば、手持ち用の開口部を養生板の一辺部側に形成することにより、養生板の手持ち用の開口部の上部を手で掴むことができ、養生板を容易に持ち運ぶことができる。
【考案を実施するための最良の形態】
【００１７】
　以下、図を参照して本考案を実施するための最良の形態を詳細に説明する。
〔第１の実施の形態〕
　図１は、本発明の一の実施の形態である養生板を示す図である。長さ1820mm、幅910mmのポリプロピレン製の養生板１の一辺部側に、長さ90mm、幅30mmの手持ち用の開口部２を、養生板１の一辺部側端部から30mmの位置に、左右対称に２箇所形成する。
【００１８】
　養生板１の手持ち用の開口部２に手を掛け、１枚あるいは複数枚の養生板１を車両の荷台等から降ろし、養生箇所に持ち運んで設置し、床面、壁面等を養生する。このとき、必要に応じて、養生テープで床面、壁面に養生板１を固定する。
【００１９】
　養生板１は、従来の養生板に比べ、持運びが容易なため、養生作業の作業時間、作業人員を削減させることができる。
【００２０】
〔第２の実施の形態〕
　図２は、本発明の別の実施の形態である養生板を示す図である。図２（ａ）に示す長さ1820mm、幅910mmのポリプロピレン製の養生板３を、長辺方向に均等に２枚に分割する。図３に示すように、分割した養生板４の端部の両面に接続テープ５をを貼付することにより、分割した２枚の養生板４を接続する。接続テープ５は、積水化学工業株式会社製の新布テープNo.760が最適である。分割された養生板４に、互いに折り畳んだ状態で位置がほぼ合致するように、養生板４の一辺部側の中央に、長さ90mm、幅30mmの手持ち用の開口部２を、養生板の一辺部側端部から30mmの位置に各々１箇所形成する。
【００２１】
　図２（ｂ）に示す養生板６は、さらに、養生板を長辺方向に均等に３枚の養生板７に分割したものである。接続テープ５による接続、手持ち用の開口部２は、２枚に分割された養生板３の場合と同様である。
【００２２】
　養生板相互の接続部分は、図３（ａ）に示すように、養生板の両面側の接続テープ５が養生板の端部の側面に回り込むように貼付する。また、図３（ｂ）、（ｃ）のように、養生板の片面側のみ接続テープ５が養生板の端部の側面に回り込むように貼付してもよい。これにより、養生板相互の隙間がなくなるので、接続部分の養生能力が向上する。養生板の折り畳みは、図３（ａ）のように接続した場合には両側方向とも可能であり、図３（ｂ）、（ｃ）のように接続した場合には図中の矢印に示す片側方向のみ可能である。養生板相互の接続方法を使い分けることにより、養生板の用途に応じて、適切に養生等を行うことができる。
【００２３】
　また、接続テープ５の貼付は、片面だけで足りる場合は、片面だけの貼付でよく、接続部分の一部で足りる場合は、一部分の貼付でよい。接続テープ５の材質は、粘着テープ、面ファスナーテープ等を、養生板の材質、重量等によって適宜選択すればよい。
【００２４】
　折り畳まれた複数枚の養生板の、ほぼ合致した手持ち用の開口部２に手を掛け、１組ずつあるいは複数組の養生板を車両の荷台等から降ろし、養生箇所まで汎用台車等で運搬し、養生箇所に人の手で持ち運んで設置し、床面、壁面等を養生する。この養生板は、図４に示すように、完全に折り畳まない状態で自立するため、作業途中に所定の場所に立てた状態で、養生板を仮置きすることができる。また、ある程度の角度をもって開いた状態で自立するため、壁や柱の隅角部を簡単に養生することができる。養生を行うときは、必要に応じて、養生テープで床面、壁面に養生板を固定する。
【００２５】
　従来の養生板に比べ、養生板の持運びが容易なことに加え、汎用台車への荷積み等が容易なため、養生作業の作業時間、作業人員をさらに削減することができる。
【００２６】
　上記養生板には、上記の養生としての利用形態の他に、さまざまな利用形態が考えられる。
【００２７】
　天井面に対して工事等をするときに、養生板の上に脚立を乗せ、作業する場合がある。この工事箇所が複数あったとしても、脚立とともに、養生板を容易に持ち運んで作業することができる。これにより、作業中の移動効率が向上する。
【００２８】
　また、図６に示すように、ある程度の角度をもって開いた状態で養生板６を自立させ、養生板６を材料置き場や簡易作業場の仕切り板として利用し、これらの領域と他の領域とを区切ることができる。これにより、工事の危険性が軽減される。例えば、ドリル、グラインダー等の回転工具を使用する時の切り粉等の飛散防止の役目を果たす。
【００２９】
　このとき、分割された養生板７の手持ち用の開口部２に棒等を差し通すことによって、自立した養生板６を固定することもできる。
【００３０】
　さらに、養生板は人の目に触れる場所に設置されることが多い。そこで、図４（ｂ）、６に示すように、養生板に会社名等の宣伝広告を目的としたプリントや塗装を施し、養生板を自立させ、養生と同時に、宣伝広告看板としても利用できる。
【００３１】
　なお、以上の実施の形態においては、養生材の大きさ、材質等は、既存のもの、例えば、プラスチック製、木製、紙製、金属製等を作業現場、作業内容等によって適宜選択可能であることは勿論である。養生材の分割数、手持ち用の開口部２の箇所数、形状等も任意である。
【図面の簡単な説明】
【００３２】
【図１】第１の実施の形態における養生板を示す図である。
【図２】第２の実施の形態における養生板を示す図である。
【図３】第２の実施の形態における養生板の接続部分の断面を示す図である。
【図４】図２（ｂ）の養生板を折り畳むときの状態を示す図である。
【図５】図２（ａ）の養生板を壁面隅角部に利用した状態を示す図である。
【図６】図２（ｂ）の養生板を簡易作業場として利用した状態を示す図である。
【符号の説明】
【００３３】
１、３、６　養生板
４，７　分割された養生板
２　手持ち用の開口部
５　接続テープ
【図１】
0003100221.tif 000003
【図２】
0003100221.tif 000004
【図３】
0003100221.tif 000005
【図４】
0003100221.tif 000006
【図５】
0003100221.tif 000007
【図６】
0003100221.tif 000008